(57)【要約】【課題】本発明は、簡単な構造でがたつき無く部品を支持部材に取り付けることができる部品固定構造を提供することを課題とする。【解決手段】部品１８を支持部材２０に取り付けて固定する部品固定構造は、部品１８と支持部材２０のうちの一方から突出するように設けられた少なくとも一つの突出部材２２ｂ，２４ｂと、部品と支持部材のうちの他方に設けられ、突出部材を受容する孔１８ｃとを有する。孔１８ｃが設けられた領域を覆うように部品と支持部材のうちの他方にシート状部材３０が貼り付けられる。突出部材が孔に挿入される際に、シート状部材３０が突出部材２２ｂ，２４ｂにより押圧されて変形することにより、シート状部材３０の一部が孔１８ｃに入り込む。【選択図】図１２
2009127747.tif 000002
【特許請求の範囲】
【請求項１】
部品を支持部材に取り付けて固定する部品固定構造であって、
該部品と該支持部材のうちの一方から突出するように設けられた少なくとも一つの突出部材と、
前記部品と前記支持部材のうちの他方に設けられ、該突出部材を受容する孔と、
該孔が設けられた領域を覆うように前記部品と前記支持部材のうちの前記他方に貼り付けられたシート状部材と
を有し、
前記突出部材が前記孔に挿入される際に、前記シート状部材が前記突出部材により押圧されて変形することにより、前記シート状部材の一部が前記孔に入り込んでいることを特徴とする部品固定構造。
【請求項２】
請求項１記載の部品固定構造であって、
前記突出部材が前記孔に挿入される際に、前記突出部材が前記シート状部材を突き破ることで、前記シート状部材の一部が前記孔に入り込んでいることを特徴とする部品固定構造。
【請求項３】
請求項１又は２記載の部品固定構造であって、
前記部品及び前記支持部材は金属板により形成された構造体であり、
前記突出部材は前記部品に取り付けられた金属製のピンであり、前記孔は前記支持部材をバーリング加工して形成された孔であることを特徴とする部品固定構造。
【請求項４】
請求項３記載の部品固定構造であって、
前記支持部材は固定部と固定部に対して移動可能な移動部とを有し、前記ピンの突出方向は前記移動部の移動方向に一致していることを特徴とする部品固定構造。
【請求項５】
本体筐体を有し、
前記部品を電子部品とした請求項１乃至４のうちいずれか一項記載の部品固定構造にて該電子部品を前記支持部材にて前記本体筐体に固定して構成された電子装置。
【発明の詳細な説明】
【技術分野】
【０００１】
本発明は部品固定構造に係り、特に情報処理装置等の電子装置に組み込まれる部品を支持部材に固定するための部品固定構造に関する。
【背景技術】
【０００２】
パーソナルコンピュータ等の情報処理装置において、光学ドライブ装置等の情報処理装置への組み込みを容易にするため、光学ドライブ装置等をユニット化することが多い。このようなユニットを情報処理装置に組み込む際に、例えば、ユニットをブラケットに取り付け、ブラケットと共に情報処理装置に組み込むことが一般的である。すなわち、ユニッットはブラケットを介して情報処理装置に組み込まれる。
【０００３】
ブラケットは一般的に薄い金属板により形成されており、ユニットを取り付けるためのネジ孔が形成されている。ブラケットにユニットを取り付ける際には、ネジ孔にネジをねじ込んで締め付けることでユニットがブラケットに取り付けられる。
【０００４】
ここで、例えばユニットがオプション部品でありユニットを取り付けない場合、ユニットの代わりにユニットのダミーがブラケットに組み込まれる。ダミーは一般的にユニットの形状を模して金属板で形成された部品であり、ユニットがなくなった部分の空間を覆うような役割を果たす。したがって、ダミーは実際のユニットに比較して遙かに軽量であり、ネジを用いて強固にブラケットに固定する必要はない。
【０００５】
そこで、ダミーをブラケットに固定するために、ネジ孔に整合する部分にピンを設けておき、単にピンをネジ孔に挿入するだけでダミーをブラケットに取り付ける構造が用いられることが多い。この場合、ダミーをブラケットに固定するためのネジ締め作業が不要となり、組み立て工程を簡素化することができる。
【０００６】
ところが、ダミーのピンをネジ孔に挿入しただけの取り付け構造では、装置の作動時の振動によりダミーががたついて異音が発生するという問題が生じることがある。すなわち、ピンをネジ孔に挿入するにはピンの径はネジ孔径より小さくなければならず、またピンの位置のばらつきを考慮してピンの径はネジ孔より小さめに設定されるため、ピンとネジ孔の間に遊びが生じ、ネジ孔内でピンが動いてネジ孔の内面にぶつかり異音が発生する。
【０００７】
また、例えばユニットの取り付けをダミーの取り付けと同じ構造として組み立て工程を簡素化することもある。そのような場合には、ユニットが振動してユニットの性能に悪影響が及ぼされることも懸念される。
【０００８】
このような部品取り付けのがたつきを防止する取り付け方法として、部品を粘着材で支持部材に貼り付ける方法がある。この方法は、例えば両面粘着テープ等で部品を支持部材に貼り付ける方法であるが、粘着材の経年変化により粘着力が無くなると、がたつきの問題が生じてしまう。
【０００９】
あるいは、部品と支持部材との間に防振ダンパを設けて振動を吸収する方法がある。しかし、防振ダンパは上述の両面粘着テープに比較すると高価であり、防振ダンパを設けるスペースも確保しなければならないという問題がある。また、上述のように実際に動作するユニットを取り付ける際に防振ダンパを用いた場合、防振ダンパの周波数特性に起因してユニット性能が低下するおそれがある。
【００１０】
ここで、ネジを用いずに板状部材を別の支持部材に取り付けるための部品固定構造として、グロメットを用いて板状部材を挟み込んで固定する方法が提案されている（例えば、特許文献１参照。）。この取り付け方法によれば、弾性を有するグロメットが板状部材と支持部材の貫通孔に挿入されて嵌り込むため、がたつきの無い状態で板状部材を支持部材に取り付けることができる。
【特許文献１】特開２００６−８３９３６号公報
【発明の開示】
【発明が解決しようとする課題】
【００１１】
上述のグロメットを用いた部品固定方法によれば、取り付けられる板状部材とは別の部品としてグロメットを準備しなければならず、部品点数が増えてしまい、コスト上昇につながる。また、取り付け時にグロメットを変形させるための治具が必要となる。さらに、その治具を用いて具グロメットを変形させて取り付ける工程が必要となり、組み立て工数も増加する。
【００１２】
本発明は上述の問題に鑑みなされたものであり、簡単な構造でがたつき無く部品を支持部材に取り付けることができる部品固定構造及びその構造を採用した電子装置を提供することを目的とする。
【課題を解決するための手段】
【００１３】
本発明によれば、部品を支持部材に取り付けて固定する部品固定構造であって、該部品と該支持部材のうちの一方から突出するように設けられた少なくとも一つの突出部材と、前記部品と前記支持部材のうちの他方に設けられ、該突出部材を受容する孔と、該孔が設けられた領域を覆うように前記部品と前記支持部材のうちの前記他方に貼り付けられたシート状部材とを有し、前記突出部材が前記孔に挿入される際に、前記シート状部材が前記突出部材により押圧されて変形することにより、前記シート状部材の一部が前記孔に入り込んでいることを特徴とする部品固定構造が提供される。
【発明の効果】
【００１４】
上述の発明によれば、支持部材又は部品に取り付けられた突出部材が部品の孔に挿入される際に、シート状部材が突出部材により押圧されて変形することにより、シート状部材の一部が孔に入り込み、突出部材と孔の内面との間にシート状部材の一部が挟まれた状態となる。これにより、突出部材が孔の中で動かないように固定され、がたつきの無い固定が達成される。本発明によれは、支持部材又は部品の孔を覆うようにシート状部材を貼り付けるだけの簡単な構造で、がたつきの無い固定を達成することができる。
【発明を実施するための最良の形態】
【００１５】
本発明の一実施形態について図面を参照しながら説明する。
【００１６】
図１は本発明の一実施形態による部品固定構造が用いられたパーソナルコンピュータの正面図である。図２は図１に示すパーソナルコンピュータの側面図である。図３は図１に示すパーソナルコンピュータの背面斜視図である。図４は図１に示すパーソナルコンピュータの分解背面斜視図である。
【００１７】
図１に示すパーソナルコンピュータ１０は情報処理装置であり、本体１２の前面に表示画面１４が設けられている。パーソナルコンピュータ１０の本体１２の側面カバー１６には、図４に示すように、例えば光ディスクドライブ装置やフレキシブルディスクドライブ装置等の情報記憶装置を組み込むための開口１６ａが設けられる。光ディスクドライブ装置やフレキシブルディスクドライブ装置はオプション部品である場合があり、これら装置をパーソナルコンピュータ１０の本体１２に組み込まない場合は、開口１６ａを塞ぐために図４に示すようにダミー１８が組み込まれる。具体的には、ダミー１８の前板１８ａを開口１６ａに配置することで、光ディスクドライブ装置が組み込まれたときと同じように開口１６ａが塞がれる。オプション部品として組み込まれる光ディスクドライブ装置はユニット化されて単一のユニットとして構成されており、以下において光ディスクドライブ装置をユニットと称することもある。
【００１８】
ダミー１８は本体１２に組み込まれるユニットの形状を模して金属板により形成した部品である。ユニットを本体１２内に組み込む際には、通常、ユニットを支持する支持部材であるブラケット２０に取り付けて固定してからブラケット２０を本体１２内に組み込んで固定する。すなわち、ユニットはブラケット２０を介して本体１２内に組み込まれて固定される。ブラケット２０は複数種類のユニットを取り付けることができるように構成されており、異なる種類のユニットであっても、同じブラケット２０を介しての本体２０に組み込むことができる。
【００１９】
したがって、ダミー１８を本体２０内に組み込む際にも、まずダミー１８（部品）をブラケット２０（支持部材）に取り付けて固定してから、図５に示すようにブラケット２０を本体１２内に組み込み、ブラケット２０をねじ止め等で本体２０に固定する。ブラケット２０は、図６に示すように、金属板で形成された構造体であり、固定部２２と、固定部２２に対してスライド可能に設けられた移動部であるスライド部２４とよりなる。図７は図６に示すブラケット２０を上からみた平面図である。図７（ａ）は移動部であるスライド部２４が固定部２２から引き出された状態を示し、図７（ｂ）はスライド部２４が固定部２２に押し込まれた状態を示している。
【００２０】
スライド部２４には、２つの起立片２４ａが形成されており、起立片２４ａはスライド部２４の移動と共に、固定部２２に対して移動する。起立片２４ａの各々には突出部材であるピン２４ｂが固定されている。ピン２４ｂは起立片２４ａに対して垂直に突出するように設けられている。したがって、ピン２４ｂの突出方向はスライド部２４の移動方向に一致している。また、固定部２２の後板２２ａにも２本のピン２２ｂが取り付けられており、これらピン２２ｂの突出方向もスライド部２４の移動方向に一致している。
【００２１】
以上のような構成のブラケット２０にダミー１８が取り付けられる。図８はダミー１８をブラケット２０に取り付ける際のダミー１８とブラケット２０とを示す斜視図である。ダミー１８の側板１８ｂには、ブラケット２０のピン２２ｂ，２４ｂに対応する位置に孔１８ｃが設けられている。孔１８ｃは金属板のバーリング加工により形成された貫通孔であり、対応するピン２２ｂ，２４ｂを受容することができる内径を有している。なお、孔１８ｃはバーリング加工により形成された孔に限定されず、例えば、ドリル加工により形成された貫通孔であってもよい。また、ピン２２ｂ，２４ｂを受容できるのであれば、孔１８は貫通孔でなくてもよい。
【００２２】
ダミー１８はブラケット２０上に載置された後、ブラケット２０のスライド部２４が固定部２２に向かって押し込まれ、図９に示すようにダミー１８がブラケット２０に取り付けられる。この際、スライド部２４の移動に伴って起立片２４ａがダミー１８に向けて移動し、起立片２４ａから突出したピン２４ｂがダミー１８の側板１８ｂに設けられた孔１８ｃに挿入される。同時に、ブラケット２０の固定部２２の後板２２ａに設けられたピン２２ｂも、ダミー１８の側板１８ｂに設けられた孔１８ｃに挿入される。したがって、ダミー１８は、ブラケット２０の起立片２４ａと後板２２ｂにより挟まれ、且つブラケット２０のピン２２ｂ，２４ｂがダミー１８の孔１８ｃに挿入されることにより、ブラケット２０に取り付けられ固定される。
【００２３】
図１０はピン２４ｂが孔１８ｃに挿入される前の起立片２４ａの近傍を拡大して示す斜視図である。ダミー１８がブラケット２０上に載置されると、ブラケット２０のスライド部２４に設けられた起立片２４ａのピン２４ｂがダミー１８の側板１８ｂに設けられた孔１８ｃに整列する。したがって、スライド部２４をダミー１８の方向に移動すると、ピン２４ｂは孔１８ｃに挿入される。この際ダミー１８の反対側の側板１８ｂに設けられた孔１８ｃにもピン２２ｂが挿入される。
【００２４】
図１１はピン２４ｂが孔１８ｃに挿入された状態を示す断面図である。図１１に示すように、起立片２４ａとダミー１８の側板１８ｂとの間に空隙Ｇ１が生じ、また、ピン２４ｂと孔１８ｃとの間には空隙Ｇ２が生じる。空隙Ｇ１は、ダミー１８とブラケット２０の加工寸法公差により形成された空隙であり、空隙Ｇ２は、ピン２２ｂ，２４ｂが孔１８ｃに挿入できるようにピン２２ｂ，２４ｂの外径が孔１８ｃの内径より小さくなっているためと、２つのピン２２ｂ又は２４ｂの間の距離と２つの孔１８ｃの間の距離との差を吸収するために孔１８ｃの内径をピン２２ｂ，２４ｂの外径よりを大きくするために生じる空隙である。この空隙Ｇ１、Ｇ２が生じるため、ダミー１８とブラケット２０との間にがたつきが生じ、ダミー１８が振動して異音が発生する。
【００２５】
そこで、本実施形態では空隙Ｇ１，Ｇ２に１シート状部材を設けることでダミー１８のがたつきを防止する。シート状部材は比較的破れやすいテープであり、片面に粘着材が貼り付けられたものを用いる。図１２（ａ）に示すように、孔１８ｃを覆うようにシート状部材３０をダミー１８に貼り付けておき、ピン２４ｂ（又は２２ｂ）が孔１８ｃに挿入されるときにシート状部材３０を突き破るようにしておく。ピン２４ｂ（又は２２ｂ）がシート状部材３０を突き破ると、図１２（ｂ）に示すようにシート状部材３０の破られた部分は孔１８ｃ内に入り込み、空隙Ｇ２を埋めることとなる。シート状部材３０を貼り付けることで空隙Ｇ１も埋められることとなる。
【００２６】
シート状部材３０としては、ピン２４ｂ（又は２２ｂ）が容易に突き破ることができる程度の硬さあるいは強さのテープあるいはシートが用いられる。そのようなシート状部材３０として、アセテートクロステープや綿テープのような織物に粘着材を貼り付けた布テープを用いることが好ましい。あるいは、ビニールテープのようなプラスチックフィルムに粘着材を貼り付けたプラスチックテープを用いることもできる。あるいは、後述のようにゴムシートに粘着材を貼り付けたゴムテープを用いることもできる。あるいは、ガスケット材に粘着材を貼り付けたものでもよい。シート状部材３０に必要な機能は、ダミー１８の表面に貼り付けることができ、且つピン２４ｂ（又は２２ｂ）により突き破ることができることであり、そのような機能を有するシート材であれば上述の材料に限定されることはない。
【００２７】
本実施形態では、シート状部材３０は、図１３に示すように、ダミー１８の側板１８ｂの孔１８ｃが設けられた領域に、孔１８ｃを完全に覆うように貼り付けられる。なお、図１３に示すダミー１８は図８に示すダミー１８を裏返した状態で示されている。図１４（ａ）はシート状部材３０を貼り付ける前のダミー１８の孔１８ｃが設けられた領域を拡大して示す斜視図であり、図１４（ｂ）はシート状部材３０を貼り付けた後のダミー１８の孔１８ｃが設けられた領域を拡大して示す斜視図である。孔１８ｃが裏面１８ｄに近い位置に設けられているので、シート状部材３０は側板１８ｂから裏面１８ｄにかけて貼り付けられている。ただし、シート状部材３０をうまく貼り付けることができるであれば、必ずしも裏面１８ｄまでシート状部材３０を貼り付ける必要はない。
【００２８】
ダミー１８の孔１８を覆うようにシート状部材３０を貼り付けたら、ダミー１８をブラケット２０上に載置して、スライド部２４を移動して起立片２４ａをダミー１８の側板１８ｃに向けて移動させる。これにより、起立片２４ａのピン２４ｂと反対側のピン２２ｂはダミー１８の孔１８ｃを覆っているシート状部材３０に突き当たり、さらにスライド部２４を移動させることにより、ピン２４ｂとピン２２ｂはシート状部材３０を突き破って孔１８ｃに入り込む。このとき、シート状部材３０の破られた部分は孔１８ｃの内面とピン２４ｂまたはピン２２ｂとの間に入り込む。図１５は上述のようにしてブラケット２０に取り付けられたダミー１８を示す斜視図である。図１５に示す状態において、ピン２４ｂ（２２ｂ）は孔１８ｃ内に挿入され、図１２（ｂ）に示すようにシート状部材３０の一部がピン２４ｂ（２２ｂ）と孔１８ｃの内面との間に入り込んでいる。
【００２９】
ピン２４ｂ（２２ｂ）と孔１８ｃの内面との間に入り込んだシート状部材３０により図１１に示す空隙Ｇ２が埋められ、且つダミー１８とブラケット２０との間にシート状部材３０があることで図１１に示す空隙Ｇ１も埋められるので、ダミー１８のがたつきが無くなり、ダミー１８はブラケット２０に固定される。これにより、ブラケット２０が振動してもダミー１８ががたつくことはなく、がたつきによる異音も発生しない。
【００３０】
なお、シート状部材３０の一部がピン２４ｂ（２２ｂ）と孔１８ｃの内面との間に完全に入り込んでいなくても、図１６に示すように僅かに入り込んでいるだけでもがたつきを抑える効果はある。また、図１７に示すうにピン２４ｂ（２２ｂ）が孔１８ｃ内で偏っていた場合でも、片側にシート状部材３０が入り込んでいればよい。
【００３１】
さらに、シート状部材３０として弾性のあるゴムシート等を用いた場合、シート状部材３０を突き破らなくても、シート状部材３０が変形してピン２４ｂを覆うことにより、シート状部材３０がピン２４ｂと孔１８ｃの内面との間に入り込むこととなり、ダミー１８のがたつきを防止することができる。
【００３２】
以上のように、上述の実施形態によれば、ブラケット２０（支持部材）に取り付けられたピン２４ｂ，２２ｂ（突出部材）がダミー１８（部品）の孔１８ｃに挿入される際に、シート状部材３０がピン２４ｂ，２２ｂ（突出部材）により押圧されて変形することにより、シート状部材３０の一部が孔に入り込み、ピン２４ｂ，２２ｂ（突出部材）と孔１８ｃの内面との間にシート状部材３０の一部が挟まれた状態となる。これにより、ピン２４ｂ，２２ｂ（突出部材）が孔１８ｃの中で動かないように固定され、がたつきの無い固定が達成される。本実施形態によれば、ダミー１８（部品）の孔１８ｃを覆うようにシート状部材３０を貼り付けるだけの簡単な構造で、がたつきの無い固定を達成することができる。
【００３３】
上述の実施形態では、ダミー１８に孔１８ｃを設け、ブラケット２０にピン２４ｂ，２２ｂを設けているが、孔とピンを逆にして、ダミー１８にピンを設け、ブラケット２０に孔を設けることとしてもよい。すなわち、ダミー１８とブラケット２０のうちの一方にピンを設け、ダミー１８とブラケット２０のうちの他方に孔を設け、ピンが孔に挿入されるように構成しておけばよい。
【００３４】
また、上述の実施形態では、ブラケット２０の起立片２４ａと後板２２ａの両方にそれぞれピン２４ｂ及びピン２２ｂを設け、それらピンに対応するダミー１８の孔１８ｃの領域全てに対してシート状部材３０を貼り付けているが、必ずしも孔１８ｃの全てに対してシート状部材３０を設ける必要はない。例えば、ブラケット２０の２つの起立片２４ａに設けられたピン２４ｂに対応する孔１８ｃの領域のみにシート状部材３０を貼り付け、後板２２ａに設けられたピン２２ｂに対応する孔１８ｃにはシート状部材を貼り付けずにそのままとしておくことでも、がたつきを抑える効果は十分にある。その場合、シート状部材３０の数が減少し、組み立て工程も短縮することができる。
【００３５】
以上のように、本明細書は以下の発明を開示する。
（付記１）
部品を支持部材に取り付けて固定する部品固定構造であって、
該部品と該支持部材のうちの一方から突出するように設けられた少なくとも一つの突出部材と、
前記部品と前記支持部材のうちの他方に設けられ、該突出部材を受容する孔と、
該孔が設けられた領域を覆うように前記部品と前記支持部材のうちの前記他方に貼り付けられたシート状部材と
を有し、
前記突出部材が前記孔に挿入される際に、前記シート状部材が前記突出部材により押圧されて変形することにより、前記シート状部材の一部が前記孔に入り込んでいることを特徴とする部品固定構造。
（付記２）
付記１記載の部品固定構造であって、
前記突出部材が前記孔に挿入される際に、前記突出部材が前記シート状部材を突き破ることで、前記シート状部材の一部が前記孔に入り込んでいることを特徴とする部品固定構造。
（付記３）
付記１又は２記載の部品固定構造であって、
前記部品及び前記支持部材は金属板により形成された構造体であり、
前記突出部材は前記部品に取り付けられた金属製のピンであり、前記孔は前記支持部材をバーリング加工して形成された孔であることを特徴とする部品固定構造。
（付記４）
付記３記載の部品固定構造であって、
前記支持部材は固定部と固定部に対して移動可能な移動部とを有し、前記ピンの突出方向は前記移動部の移動方向に一致していることを特徴とする部品固定構造。
（付記５）
付記１乃至４のうちいずれか一項記載の部品固定構造であって、
前記シート状部材は、布に粘着材を貼り付けた布テープであることを特徴とする部品固定構造。
（付記６）
付記１乃至４のうちいずれか一項記載の部品固定構造であって、
前記シート状部材は、プラスチックシートに粘着材を貼り付けたプラスチックテープであることを特徴とする部品固定構造。
（付記７）
付記項１乃至４のうちいずれか一項記載の部品固定構造であって、
前記シート状部材は、ゴムシートに粘着材を貼り付けたゴムテープであることを特徴とする部品固定構造。
（付記８）
本体筐体を有し、
前記部品を電子部品とした付記１乃至７のうちいずれか一項記載の部品固定構造にて該電子部品を前記支持部材にて前記本体筐体に固定して構成された電子装置。
【図面の簡単な説明】
【００３６】
【図１】本発明の一実施形態による部品固定構造が用いられたパーソナルコンピュータの正面図である。
【図２】図１に示すパーソナルコンピュータの側面図である。
【図３】図１に示すパーソナルコンピュータの背面斜視図である。
【図４】図１に示すパーソナルコンピュータの分解斜視図である。
【図５】ブラケットを本体に組み込む途中の状態を示す斜視図である。
【図６】ブラケットの斜視図である。
【図７】ブラケットの平面図である。
【図８】ダミーをブラケットに取り付ける際のダミーとブラケットを示す斜視図である。
【図９】ダミーをブラケットに取り付けた後のダミーとブラケットを示す斜視図である。
【図１０】ピンが孔に挿入される前の起立片の近傍を拡大して示す斜視図である。
【図１１】ピンが孔に挿入された状態を示す断面図である。
【図１２】シート状部材を突き破ってピンが孔に挿入されることを説明するための図である。
【図１３】シート状部材が貼り付けられたダミーの斜視図である。
【図１４】シート状部材の貼り付けを説明するための図である。
【図１５】ダミーをブラケットに取り付けた状態を示す斜視図である。
【図１６】ピンにより突き破られたシート状部材を示す断面図である。
【図１７】ピンが孔内で偏っていいた場合に、ピンにより突き破られたシート状部材を示す断面図である。
【図１８】シート状部材が弾性を有するシート状部材の変形を示す断面図である。
【符号の説明】
【００３７】
１０  パーソナルコンピュータ
１２  本体
１４  表示画面
１６  側面カバー
１６ａ  開口
１８  ダミー
１８ａ  前板
１８ｂ  側板
１８ｃ  孔
２０  ブラケット
２２  固定部
２２ａ  後板
２２ｂ  ピン
２４  スライド部
２４ａ  起立片
２４ｂ  ピン
３０  シート状部材
【図１】
2009127747.tif 000003
【図２】
2009127747.tif 000004
【図３】
2009127747.tif 000005
【図４】
2009127747.tif 000006
【図５】
2009127747.tif 000007
【図６】
2009127747.tif 000008
【図７】
2009127747.tif 000009
【図８】
2009127747.tif 000010
【図９】
2009127747.tif 000011
【図１０】
2009127747.tif 000012
【図１１】
2009127747.tif 000013
【図１２】
2009127747.tif 000014
【図１３】
2009127747.tif 000015
【図１４】
2009127747.tif 000016
【図１５】
2009127747.tif 000017
【図１６】
2009127747.tif 000018
【図１７】
2009127747.tif 000019
【図１８】
2009127747.tif 000020